(57)【要約】 【課題】ワイヤとの接続が容易なランプアセンブリを提供する。【解決手段】ランプアセンブリでワイヤーユニット（１４０，１５０）は外部から駆動信号の入力を受け、ランプユニット（１１０）は駆動信号に応答して光を発生する。ワイヤーユニットとランプユニットはホルダーユニット（１２０，１３０）に固定される。ホルダーユニットはランプユニットとワイヤーユニットとを結合するホルダー部（１２１，１３１）、及びホルダーに内蔵されランプユニットとワイヤーユニットとを電気的に連結させるソケット部を含む。従って、ランプアセンブリの組立工程を単純化させることができる。【選択図】    図１
2006216528.tif 000002
【特許請求の範囲】
【請求項１】
駆動信号を出力するワイヤーユニットと、
前記駆動信号に応答して光を発生するランプユニットと、
前記ランプユニットと前記ワイヤーユニットとを結合する、ホルダー部、及び前記ホルダー部に内蔵され前記ランプユニットと前記ワイヤーユニットとを電気的に連結させるソケット部で構成されるホルダーユニットと、
を含むことを特徴とするランプアセンブリ。  
【請求項２】
前記ランプユニットは、
前記光を発生するランプ本体と、
前記ランプ本体の端部から引き出された電極と、を含むことを特徴とする請求項１記載のランプアセンブリ。
【請求項３】
前記ホルダー部には前記ランプ本体の端部を収納する第１収納孔が形成され、
前記第１収納孔に隣接して前記ソケット部には前記電極と締結されるための第１締結凹部が形成されることを特徴とする請求項２記載のランプアセンブリ。
【請求項４】
前記電極には第１キャッチングジョーが形成され、
前記ソケット部は前記第１締結凹部が形成された内側壁から突出し、前記第１キャッチングジョーと噛み合わさって前記電極が前記ソケット部から離脱することを防止するための第１係止突起を含むことを特徴とする請求項３記載のランプアセンブリ。
【請求項５】
前記ワイヤーユニットは、
前記駆動信号の入力を受ける電極線と、
前記電極線の端部に結合され前記電極線を前記ホルダーユニットに固定させるためのプラグと、を含むことを特徴とする請求項１記載のランプアセンブリ。
【請求項６】
前記電極線は、導電性材質からなり前記駆動信号の入力を受ける心線及び絶縁性材質からなり前記心線を覆う被覆からなることを特徴とする請求項５記載のランプアセンブリ。  
【請求項７】
前記プラグは、
前記電極線の端部を収納し前記心線と電気的に連結される収納部と、
前記収納部から突出し前記ソケット部と締結され、離隔空間を間に置き互いに向き合う第１及び第２突起からなる突出部と、を含むことを特徴とする請求項６記載のランプアセンブリ。  
【請求項８】
前記ホルダー部には前記電極線の端部を収納する第２収納孔が形成され、
第２収納孔に隣接して前記ソケット部には前記プラグと締結されるための第２締結凹部が形成されることを特徴とする請求項７記載のランプアセンブリ。
【請求項９】
前記突出部には第２キャッチングジョーが形成され、
前記ソケット部は前記第２締結凹部が形成された内側壁から突出され、前記第２キャッチングジョーと噛み合わさって前記プラグが前記ソケット部から離脱することを防止するための第２係止突起を含むことを特徴とする請求項８記載のランプアセンブリ。
【請求項１０】
前記ソケット部は、導電性材質からなることを特徴とする請求項１記載のランプアセンブリ。
【請求項１１】
前記ソケット部は、前記ホルダー部と共に射出成形され前記ホルダー部に内蔵されることを特徴とする請求項１記載のランプアセンブリ。
【請求項１２】
外部から第１駆動信号の入力を受ける第１電極線、及び前記第１電極線の端部に結合され前記第１駆動信号を伝達する第１プラグを含む第１ワイヤーユニットと、
外部から第２駆動信号の入力を受ける第２電極線、及び前記第２電極線の端部に結合され前記第２駆動信号の伝達を受ける第２プラグを含む第２ワイヤーユニットと、
光を発生するランプ本体、及び前記ランプ本体の第１及び第２端部からそれぞれ引き出され前記第１及び第２駆動信号のそれぞれの入力を受ける第１及び第２電極を含むランプユニットと、
前記ランプ本体の第１端部と結合する第１ホルダー部、前記第１電極線の端部と結合し前記第１ホルダー部に一体に形成された第２ホルダー部、及び前記第１ホルダー部に内蔵され、前記第１電極と前記第１プラグに締結され前記第１電極と前記第１プラグとを電気的に連結させることで第１プラグから前記第１電極へ前記第１駆動信号を伝達する第１ソケット部で構成される第１ホルダーユニットと、
前記ランプ本体の第２端部と結合する第３ホルダー部、前記第２電極線の端部と結合し前記第３ホルダー部と一体に形成された第４ホルダー部、及び前記第３ホルダー部に内蔵され前記第２電極と前記第２プラグに締結され前記第２電極と前記第２プラグとを電気的に連結させることで第２プラグから前記第２電極へ前記第２駆動信号を伝達する第２ソケット部で構成される第２ホルダーユニットと、
を含むことを特徴とするランプアセンブリ。
【請求項１３】
前記ソケット部は、導電性材質からなることを特徴とする請求項１２記載のランプアセンブリ。
【請求項１４】
外部からの駆動信号に応答して光を発生するランプアセンブリと、
側面を通じて前記光の入力を受け前面に出射する導光板と、
前記ランプアセンブリ及び前記導光板を収納する収納部材と、を含み、
前記ランプアセンブリは、
前記第１及び第２駆動信号を出力する第１及び第２ワイヤーユニットと、
光を発生するランプ本体、及び前記ランプ本体の第１及び第２端部からそれぞれ引き出され前記第１及び第２駆動信号の入力を受ける第１及び第２電極を含むランプユニットと、
前記ランプ本体の第１端部と結合する第１ホルダー部、前記第１ワイヤーユニットと結合し前記第１ホルダー部に一体に形成された第２ホルダー部、及び前記第１ホルダー部に内蔵され前記第１電極と前記第１ワイヤーユニットとを電気的に連結させる第１ソケット部で構成される第１ホルダーユニットと、
前記ランプ本体の第２端部と結合する第３ホルダー部、前記第２ワイヤーユニットと結合し前記第３ホルダー部に一体に形成された第４ホルダー部、及び前記第３ホルダー部に内蔵され前記第２電極と前記第２ワイヤーユニットとを電気的に連結させる第２ソケット部で構成される第２ホルダーユニットと、
を含むことを特徴とするバックライト組立体。
【請求項１５】
前記第１ワイヤーユニットは前記第１駆動信号の入力を受ける第１電極線、及び前記第１電極線の端部に結合され前記第１駆動信号の伝達を受ける第１プラグを含み、
前記第２ワイヤーユニットは前記第２駆動信号の入力を受ける第２電極線、及び前記第２電極線の端部に結合され前記第２駆動信号の伝達を受ける第２プラグを含むことを特徴とする請求項１４記載のバックライト組立体。
【請求項１６】
前記第１ソケット部は前記第１電極と前記第１プラグに締結され、導電性材質からなり前記第１電極と前記第１プラグとを電気的に連結させ、
前記第２ソケット部は前記第２電極と前記第２プラグに締結され、導電性材質からなり前記第２電極と前記第２プラグとを電気的に連結させることを特徴とする請求項１５記載のバックライト組立体。
【請求項１７】
前記収納部材は、底面、及び前記底面から折曲げられて延長され前記ランプアセンブリと前記導光板が収納される収納空間を画成する側壁を含むことを特徴とする請求項１５記載のバックライト組立体。
【請求項１８】
前記第１電極線は、前記第２ホルダーユニット側に延ばされ、前記ランプアセンブリと隣接する前記側壁の上端部にはこの延ばされる前記第１電極線を収納するための電極線収納溝が形成されることを特徴とする請求項１７記載のバックライト組立体。
【請求項１９】
光を発生するバックライト組立体と、
前記光を用いて画像を表示する表示パネルと、を含み、
前記バックライト組立体は、
外部からの駆動信号に応答して前記光を発生するランプアセンブリと、
側面を通じて前記光の入力を受け前面に出射する導光板と、
前記ランプアセンブリ、及び前記導光板を収納する収納部材と、を含み、
前記ランプアセンブリは、
前記第１及び第２駆動信号を出力する第１及び第２ワイヤーユニットと、
前記光を発生するランプ本体、及び前記ランプ本体の第１及び第２端部からそれぞれ引き出され前記第１及び第２駆動信号の入力を受ける第１及び第２電極を含むランプユニットと、
前記ランプ本体の第１端部と結合する第１ホルダー部、前記第１ワイヤーユニットと結合し前記第１ホルダー部に一体に形成された第２ホルダー部、及び前記第１ホルダー部に内蔵され前記第１電極と前記第１ワイヤーユニットとを電気的に連結させる第１ソケット部で構成される第１ホルダーユニットと、
前記ランプ本体の第２端部と結合する第３ホルダー部、前記第２ワイヤーユニットと結合し前記第３ホルダー部に一体に形成された第４ホルダー部、及び前記第３ホルダー部に内蔵され前記第２電極と前記第２ワイヤーユニットとを電気的に連結させる第２ソケット部で構成される第２ホルダーユニットと、
を含むことを特徴とする表示装置。  
【請求項２０】
前記第１ワイヤーユニットは、前記第１駆動信号の入力を受ける第１電極線、及び第１電極線の端部に結合され前記第１駆動信号の伝達を受ける第１プラグを含み、
前記第２ワイヤーユニットは前記第２駆動信号の入力を受ける第２電極線、及び前記第２電極線の端部に結合され前記第２駆動信号の伝達を受ける第２プラグを含むことを特徴とする請求項１９記載の表示装置。
【請求項２１】
前記第１ソケット部は前記第１電極と前記第１プラグに締結され、導電性材質からなり前記第１電極と前記第１プラグとを電気的に連結させ、
前記第２ソケット部は前記第２電極と前記第２プラグに締結され、導電性材質からなり前記第２電極と前記第２プラグとを電気的に連結させることを特徴とする請求項２０記載の表示装置。
【請求項２２】
前記収納部材と対向して結合し前記表示パネルを前記収納部材に固定させるトップシャーシをさらに含むことを特徴とする請求項１９記載の表示装置。
【発明の詳細な説明】
【技術分野】
【０００１】
本発明はランプアセンブリ、それを有するバックライト組立体及びそれを有する表示装置に関し、さらに詳細には組立工程を単純化することができるランプアセンブリ、それを有するバックライト組立体及びそれを有する表示装置に関する。
【背景技術】
【０００２】
液晶表示装置は画像を表示する液晶表示パネル及び液晶表示パネルの後面に具備され液晶表示パネルに光を提供するバックライト組立体を含む。
バックライト組立体は、駆動信号に応答して光を発生するランプユニット、光を液晶表示パネル方向にガイドする導光板、及びランプユニットと導光板を収納するモールドフレームで構成される。
【０００３】
導光板は四角プレート形状を有し、ランプユニットから発生された光は一側面を通じて導光板の内部に入射される。以後、導光板は光の経路を変更して前面に出射する。
【０００４】
ランプユニットは駆動信号に応答して光を発生するランプ本体、及びランプ本体の端部から引き出しされ駆動信号の入力を受ける電極を含む。電極線は駆動信号を提供するために電極と電気的に連結される。一般的に、電極は電極線の心線と半田付け工程を通じて電気的に連結される。ここで、電極線の移動や外部衝撃から電極と心線の半田付け部分を保護するためにランプホルダーがさらに具備される。
【０００５】
しかし、半田付け工程の後ランプホルダーを組立ることによってバックライト組立体の組立過程が複雑になり、ランプ本体と電極線を挿入させる過程で半田付けされた部分にストレスが加えられ電極と心線が断線される不良が発生する可能性がある。
【発明の開示】
【発明が解決しようとする課題】
【０００６】
従って、本発明の目的は、組立工程を単純化させるようにしたランプアセンブリを提供することにある。
また、本発明の他の目的は、前記したランプアセンブリを有するバックライト組立体を提供することにある。
また、本発明のさらに他の目的は、前記したランプアセンブリを有する液晶表示装置を提供することにある。  
【課題を解決するための手段】
【０００７】
本発明の一特徴によるランプアセンブリは、駆動信号を出力するワイヤーユニット、前記駆動信号に応答して光を発生するランプユニット及びホルダーユニットを含む。
前記ホルダーユニットはホルダー部、及びソケット部で構成される。前記ホルダー部は前記ランプユニットと前記ワイヤーユニットとを結合する。前記ソケット部は前記ホルダー部に内蔵され前記ランプユニットと前記ワイヤーユニットとを電気的に連結させる。
【０００８】
本発明の他の特徴によるランプアセンブリは、第１及び第２ワイヤーユニット、ランプユニット、第１及び第２ホルダーユニットを含む。
前記第１ワイヤーユニットは外部から第１駆動信号の入力を受ける第１電極線、及び前記第１電極線の端部に結合され前記第１駆動信号の伝達を受ける第１プラグで構成される。第２ワイヤーユニットは外部から第２駆動信号の入力を受ける第２電極線、及び前記第２電極線の端部に結合され前記第２駆動信号の伝達を受ける第２プラグで構成される。
【０００９】
前記ランプユニットは、光を発生するランプ本体と、前記ランプ本体の第１及び第２端部からそれぞれ引き出され前記第１及び第２駆動信号の入力を受ける第１及び第２電極を含む。
【００１０】
前記第１ホルダーユニットは第１ホルダー部、第２ホルダー部及び第１ソケット部で構成される。前記第１ホルダー部は前記ランプ本体の第１端部を収納し、第２ホルダー部は前記第１電極線の端部を収納し、前記第１ホルダー部に一体に形成される。前記第１ソケット部は前記第１ホルダー部に内蔵され、前記第１電極と前記第１プラグに締結され前記第１電極と前記第１プラグとを電気的に連結させることで前記第１電極へ前記第１駆動信号を提供する。
【００１１】
前記第２ホルダーユニットは第３ホルダー部、第４ホルダー部及び第２ソケット部で構成される。前記第３ホルダー部は前記ランプ本体の第２端部を収納し、第４ホルダー部は前記第２電極線の端部を収納し、前記第３ホルダー部に一体に形成される。前記第２ソケット部は前記第３ホルダー部に内蔵され、前記第２電極と前記第２プラグに締結され前記第２電極と前記第２プラグとを電気的に連結させることで前記第２電極へ前記第２駆動信号を提供する。
【００１２】
本発明のさらに他の特徴によるバックライト組立体は、外部からの駆動信号に応答して光を発生するランプアセンブリ、側面を通じて前記光の入力を受け前面に出射する導光板、及び前記ランプアセンブリと前記導光板とを収納する収納部材を含む。前記ランプアセンブリは第１及び第２ワイヤーユニット、ランプユニット、第１及び第２ホルダーユニットを具備する。
【００１３】
前記第１及び第２ワイヤーユニットは、前記第１及び第２駆動信号をそれぞれ出力する。前記ランプユニットは光を発生するランプ本体、前記ランプ本体の第１及び第２端部からそれぞれ引き出され前記第１及び第２駆動信号の入力を受ける第１及び第２電極を含む。
【００１４】
前記第１ホルダーユニットは、第１ホルダー部、第２ホルダー部及び第１ソケット部で構成される。前記第１ホルダーは前記ランプ本体の第１端部と結合し、前記第２ホルダー部は前記第１ワイヤーユニットと結合し前記第１ホルダー部に一体に形成される。前記第１ソケット部は前記第１ホルダー部に内蔵され前記第１電極と前記第１ワイヤーユニットとを電気的に連結させる。
【００１５】
前記第２ホルダーユニットは、第３ホルダー部、第４ホルダー部及び第２ソケット部で構成される。前記第３ホルダー部は前記ランプ本体の第２端部と結合し、前記第４ホルダー部は前記第２ワイヤーユニットと結合し前記第３ホルダー部に一体に形成される。前記第２ソケット部は前記第３ホルダー部に内蔵され前記第２電極と前記第２ワイヤーユニットとを電気的に連結させる。
【００１６】
本発明のさらに他の特徴による表示装置は、光を発生するバックライト組立体、及び前記光を用いて画像を表示する表示パネルを含む。前記バックライト組立体は外部からの駆動信号に応答して前記光を発生するランプアセンブリ、側面を通じて前記光の入力を受け前面に出射する導光板、及び前記ランプアセンブリと前記導光板とを収納する収納部材を具備する。
【００１７】
前記ランプアセンブリは、第１及び第２ワイヤーユニット、ランプユニット、第１及び第２ホルダーユニットを具備する。第１及び第２ワイヤーユニットは前記第１及び第２駆動信号をそれぞれ出力する。前記ランプユニットは、光を発生するランプ本体と、前記ランプ本体の第１及び第２端部からそれぞれ引き出され前記第１及び第２駆動信号の入力を受ける第１及び第２電極と、を含む。
【００１８】
前記第１ホルダーユニットは、第１ホルダー部、第２ホルダー部及び第１ソケット部で構成される。前記第１ホルダー部は前記ランプ本体の第１端部と結合し、前記第２ホルダー部は前記第１ワイヤーユニットと結合し前記第１ホルダー部に一体に形成される。前記第１ソケット部は前記第１ホルダー部に内蔵され前記第１電極と前記第１ワイヤーユニットとを電気的に連結させる。
【００１９】
前記第２ホルダーユニットは、第３ホルダー部、第４ホルダー部及び第２ソケット部で構成される。前記第３ホルダー部は前記ランプ本体の第２端部と結合し、前記第４ホルダー部は前記第２ワイヤーユニットと結合し前記第３ホルダー部に一体に形成される。前記第２ソケット部は前記第３ホルダー部に内蔵され前記第２電極と前記第２ワイヤーユニットとを電気的に連結させる。
【００２０】
このようなランプアセンブリ、それを有するバックライト組立体及びそれを有する表示装置によると、ホルダーユニットにソケット部を内蔵させることで、ランプユニットの電極とワイヤーユニットの心線とを電気的に連結させるための半田付け工程を省略することができ、その結果、ランプアセンブリの組立工程を単純化させることができる。
【発明を実施するための最良の形態】
【００２１】
以下、図面を参照して本発明の望ましい一実施例をより詳細に説明する。
図１は本発明の一実施例によるランプアセンブリの分解斜視図であり、図２は図１に示された第１ワイヤーユニットを分解して示す断面図であり、図３は図１に示された第１ホルダーユニットをＩ-Ｉ’線に沿って切断した断面図である。
【００２２】
図１に示すように、ランプアセンブリ１００はランプユニット１１０、第１及び第２ホルダーユニット１２０、１３０、第１及び第２ワイヤーユニット１４０、１５０を含む。
【００２３】
前記ランプユニット１１０はランプ本体１１１、第１及び第２電極１１２、１１３で構成される。前記ランプ本体１１１は冷陰極線管蛍光ランプで棒形状に形成される。前記第１及び第２電極１１２、１１３は前記ランプ本体１１１の第１及び第２端部からそれぞれ引き出される。前記第１電極１１２は外部から第１駆動電圧の入力を受け、前記第２電極１１３は第２駆動電圧の入力を受ける。前記ランプ本体１１１は前記第１及び第２電極１１２、１１３に提供された前記第１及び第２駆動電圧に応答して光を発生する。
【００２４】
前記第１電極１１２の両側部には前記第１ホルダーユニット１２０との締結のための第１キャッチングジョー１１２ａがそれぞれ形成され、前記第２電極１１３の両側部にも前記第２ホルダーユニット１３０との締結のための第２キャッチングジョー１１３ａが形成される。
前記第１ワイヤーユニット１４０は、第１電極線１４１、及び前記第１電極線１４１の一端部に締結された第１プラグ１４２で構成される。前記第２ワイヤーユニット１５０は第２電極線１５１、及び前記第２電極線１５１の一端部に締結された第２プラグ１５２で構成される。前記第１プラグ１４２は前記第３収納孔１２３ａを介して前記第１ホルダーユニット１２０に締結され、前記第２ソケット１５２は前記第４収納孔１３３ａを介して前記第２ホルダーユニット１３０に締結される。
【００２５】
図２に示されたように、前記第１電極線１４１は心線１４１ａ、及び前記心線１４１ａを覆う被覆１４１ｂで構成される。前記心線１４１ａは導電性材質からなり外部から前記ランプ１１０を駆動させるための第１駆動電圧の入力を受ける。前記被覆１４１ｂは絶縁性材質からなり前記心線１４１ａを保護する。
【００２６】
前記第１プラグ１４２は前記第１電極線１４１の一端部を収納する収納部１４２ａ、及び後述するソケット部１２２の第２締結凹所１２２ｂに挿入される突出部１４２ｂを含む。前記第１電極線１４１の一端部で前記心線１４１ａは前記被覆１４１ｂから露出される。従って、前記第１電極線１４１の一端部が前記収納部１４２ａに収納されることによって露出された前記心線１４１ａは前記第１プラグ１４２と電気的に連結される。これにより、心線１４１ａに提供された前記第１駆動電圧は前記第１プラグ１４２に伝達されることができる。
【００２７】
前記突出部１４２ｂは離隔空間１４２ｃを間に置き向き合う第１及び第２突起１４２ｄ、１４２ｅで構成される。前記第１及び第２突起１４２ｄ、１４２ｅは前記収納部１４２ａに一体に形成され、前記突出部１４２ｂと前記収納部１４２ａとの間に前記第１ホルダーユニット１２０との締結のための第３及び第４キャッチングジョー１４２ｆ、１４２ｇをそれぞれ形成する。
【００２８】
図２では図１に示された前記第１ワイヤーユニット１４０のみを具体的に説明したが、前記第２ワイヤーユニット１５０は前記第１ワイヤーユニット１４０と同一の構成を有するので、前記第２ワイヤーユニット１５０に対する具体的に説明は省略する。
【００２９】
さらに、図１に示すように、前記第１ホルダーユニット１２０には前記ランプ本体１１１の第１端部を収納するための第１収納孔１２１ａが形成され、前記第２ホルダーユニット１３０には前記ランプ本体１１１の第２端部を収納するための第２収納孔１３１ａが形成される。また、前記第１ホルダーユニット１２０には前記第１ワイヤーユニット１４０の一端部を収納するための第３収納孔１２３ａが形成され、前記第２ホルダーユニット１３０には前記第２ワイヤーユニット１５０の一端部を収納するための第４収納孔１３３ａが形成される。
【００３０】
図３に示されたように、第１ホルダーユニット１２０は第１ホルダー部１２１、第２ホルダー部１２３及びソケット部１２２で構成される。前記第１ホルダー部１２１は一側は塞がっていて他側は開口されていて、その外形は四角形状に形成される。前記第１ホルダー部１２１の開口された他側には前記ランプ本体（１１１、図１に図示）の第１端部を収納するための第１収納孔１２１ａが形成される。
【００３１】
前記第２ホルダー部１２３はシリンダ形状を有し前記第１ホルダー部１２１の一側部に一体に形成される。前記第２ホルダー部１２３には前記第１ワイヤーユニット（１４０、図１に図示）の一端部を収納するための第３収納孔１２３ａが形成される。本発明の一例では、前記第１及び第２ホルダー部１２１、１２３は絶縁性材質からなり射出成形によって製造される。
【００３２】
前記ソケット部１２２は導電性材質からなり前記第１ホルダー部１２１の内側に具備される。前記ソケット部１２２は前記第１及び第２ホルダー部１２１、１２３と同時に射出成形されることで、前記第１ホルダー部１２１の内側に固定される。
【００３３】
前記第１収納孔１２１ａに隣接して前記ソケット部１２２には第１締結凹部１２２ａが形成され、前記第３収納孔１２３ａに隣接して前記ソケット部１２２には第２締結凹部１２２ｂが形成される。前記第１締結凹部１２２ａは図１に示されたランプ１１０の第１電極１１２と締結されるために備えられた凹部である。前記第１締結凹部１２２ａの内側壁には前記第１電極１１２に形成された第１キャッチングジョー１１２ａとそれぞれ噛み合わさる第１係止突起１２２ｃが形成される。また、前記第２締結凹部１２２ｂは図１に示された第１ワイヤーユニット１４０の第１プラグ１４２と締結されるために備えられた凹部である。前記第２締結凹部１２２ｂの内側壁には前記第１プラグ１４２の第５及び第６キャッチングジョー１４２ｆ、１４２ｇとそれぞれ噛み合わさる第２及び第３係止突起１２２ｅ、１２２ｆが形成される。
【００３４】
図３では図１に示された前記第１ホルダーユニット１２０のみを具体的に説明したが、前記第２ホルダーユニット１３０は前記第１ホルダーユニット１２０と同一の構成を有するので、前記第２ホルダーユニット１３０に対する具体的な説明は省略する。
【００３５】
図４は図１に示されたランプアセンブリの結合斜視図であり、図５は図４に示されたランプアセンブリをＩＩ−ＩＩ’線に沿って切断した断面図である。
図４及び図５に示すように、ランプ本体１１１の第１端部は第１ホルダー部１２１に形成された第１収納孔１２１ａに収納される。従って、前記第１ホルダー部１２１は前記第１端部の外側面と接して前記ランプ本体１１１を前記第１ホルダーユニット１２０に固定させる。
【００３６】
前記第１端部に形成された第１電極１１２はソケット部１２２の第１締結凹部１２２ａに挿入される。このとき、前記第１電極１１２に形成された前記第１キャッチングジョー１１２ａは前記第１締結凹部１２２ａに形成された第１係止突起１２２ｃとそれぞれ噛み合わさる。従って、前記第１電極１１２は前記ソケット部１２２と電気的に連結されることができる。
【００３７】
一方、第１電極線１４１の一端部に結合された第１プラグ１４２は第２ホルダー部１２３に形成された第２収納孔１２３ａに収納される。このとき、前記第１プラグ１４２の第１及び第２突起１４２ｄ、１４２ｅは離隔空間１４２ｃが狭まって互いに接触した状態で前記第２収納孔１２３ａを通過した後前記ソケット部１２２の第２締結凹部１２２ｂに挿入される。前記第２締結凹部１２２ｂに完全に挿入されると前記第１及び第２突起１４２ｄ、１４２ｅは再度前記離隔空間１４２ｃ分だけ離隔される。
【００３８】
従って、前記第１プラグ１４２に形成された第３及び第４キャッチングジョー１４２ｆ、１４２ｇは前記第２締結凹部１２２ｂに形成された第２及び第３係止突起１２２ｅ、１２２ｆと噛み合わさる。これにより、前記第１ワイヤーユニット１４０は前記第１ホルダーユニットに固定されることができる。また、前記第１プラグ１４２が前記ソケット部１２２と電気的に連結されることで、第１駆動電圧は前記第１ワイヤーユニット１４０と前記第１ホルダーユニット１２０を順次に通過して前記ランプユニット１１０の第１電極１１２に提供されることができる。
【００３９】
このように、前記第１ホルダーユニット１２０にソケット部１２２を内蔵させることで、前記ランプユニット１１０の第１電極１１２と前記第１ワイヤーユニット１４０の心線１４１ａとを電気的に連結させるための半田付け工程が省略される。従って、前記ランプアセンブリ１００の組立工程を単純化させることができ、半田付け工程による不良を防止することができ収率を向上させることができる。
【００４０】
図６は本発明の他の実施例によるバックライト組立体の分解斜視図であり、図７は図６に示されたバックライト組立体をＩＩＩ-ＩＩＩ’線に沿って切断した断面図である。図６及び図７に示された構成要素のうち図１に示された構成要素に対しては同一の参照符号を併記し、それに対する具体的な説明は省略する。
【００４１】
図６及び図７に示すように、本発明の他の実施例によるバックライト組立体３００は、ランプアセンブリ１００、導光板２１０、光学シート２２０、反射板２３０及びモールドフレーム２４０で構成される。
【００４２】
前記ランプアセンブリ１００の第１電極線１４１は第１ホルダーユニット１２０から引き出された後第２ホルダーユニット１３０側にまで延ばされる。ここで、前記第１電極線１４１には第１駆動電圧が提供され、前記第２電極線１５１には前記第１駆動電圧より高い第２駆動電圧が提供される。従って、より低い電圧が提供される前記第１電極線１４１が前記第２ホルダーユニット１３０側にまで延ばされることで、前記第１及び第２電極線１４１、１５１は一つのコネクタ１６０に連結されることができる。
【００４３】
前記導光板２１０は前面２１１、後面２１２、第１ないし第４側面２１３、２１４、２１５、２１６を具備して四角プレート形状からなる。前記導光板２１０は前記第１ないし第４側面２１３〜２１６のうち前記ランプアセンブリ１００と隣接する前記第１側面２１３を通じて前記ランプアセンブリ１００から出力された光の入力を受ける。前記第１側面２１３を通じて入射された前記光は前記導光板２１０の前記前面２１１から出射される。
【００４４】
図示していないが、前記ランプアセンブリ１００は四角形状のケースを有し前記ランプ１１０を収納するランプカバーをさらに含む。前記ランプカバーは反射率の高い物質からなり前記ランプ１１０から出射された前記光を前記導光板２１０側に反射させる役割を遂行する。
【００４５】
一方、前記光学シート２２０は前記導光板２１０の前面２１１上に具備される。前記光学シート２２０は前記前面２１１から出力された前記光の輝度及び視野角を増加させる。前記反射板２３０は反射率の高い物質からなり前記導光板２１０の後面２１２に配置される。前記反射板２３０は前記導光板２１０の後面２１２から漏洩した光を前記前面２１１に反射して前記バックライト組立体３００の光効率を向上させる。
【００４６】
前記モールドフレーム２４０は、底面２４１及び前記底面２４１から折曲げられ延長された側壁２４２で構成される。前記モールドフレーム２４０には前記底面２４１と前記側壁２４２によって画成される収納空間２４３が備えられ、前記収納空間２４３には前記ランプアセンブリ１００、反射板２３０、導光板２１０及び光学シート２２０が順次に収納される。
【００４７】
前記ランプアセンブリ１００と隣接する前記モールドフレーム２４０の側壁２４２の上部には第２ホルダーユニット１３０側にまで延ばされる前記第１電極線１４１を収納するための電極線収納溝２４２ａが形成される。このように、前記第１電極線１４１が前記電極線収納溝２４２ａに収納された状態で延ばされることで、延ばされる前記第１電極線１４１によって前記バックライト組立体３００の組立の作業性が低下することを防止することができる。
【００４８】
図８は本発明のさらに他の実施例による液晶表示装置の分解斜視図であり、図９は図８に示された液晶表示装置をＩＶ−ＩＶ’線に沿って切断した断面図である。
図８及び図９に示すように、本発明のさらに他の実施例による液晶表示装置６００は表示ユニット４００、バックライト組立体３００及びトップシャーシ５００で構成される。
【００４９】
前記表示ユニット４００は、液晶表示パネル４１０、データ及びゲート印刷回路基板４２０、４３０、データ及びゲート可撓性フィルム４４０、４５０を具備する。前記データ及びゲート印刷回路基板４２０、４３０はデータ及びゲート可撓性フィルム４４０、４５０を介して前記液晶表示パネル４１０に電気的に連結される。前記データ及びゲート可撓性フィルム４４０、４５０それぞれには前記データ及びゲート印刷回路基板４２０、４３０から提供される各種制御信号を前記液晶表示パネル４１０を駆動するための駆動信号に変換して出力するデータ及びゲート駆動チップ４４１、４５１が実装される。
【００５０】
前記液晶表示パネル４１０は、薄膜トランジスタ（以下、ＴＦＴ）基板４１１、前記ＴＦＴ基板４１１と対向して結合されるカラーフィルター基板４１２、及び前記ＴＦＴ基板４１１と前記カラーフィルター基板４１２との間に介在された液晶層を含む。
【００５１】
前記ＴＦＴ基板４１１は、スイッチング素子ＴＦＴ（図示せず）がマトリックス形態に形成された透明がガラス基板である。前記ＴＦＴのソース及びゲート端子にはそれぞれデータ及びゲートラインが連結され、ドレイン端子には透明な導電性材質からなる画素電極（図示せず）が連結される。
【００５２】
前記カラーフィルター基板４１２は、色画素であるＲ、Ｇ、Ｂ画素（図示せず）及び透明な導電性材質からなる共通電極（図示せず）が形成された基板である。
前記トップシャーシ５００は、前記液晶表示パネル４１０の端部位を取り囲みながら前記バックライト組立体３００のモールドフレーム２００と対向して結合し前記液晶表示パネル４１０を前記バックライト組立体３００の上部に固定する。前記トップシャーシ５００は外部からの衝撃による前記液晶表示パネル４１０の破損を防止し、前記液晶表示パネル４１０が前記バックライト組立体３００から離脱することを防止する。
【００５３】
このような、ランプアセンブリ、それを有するバックライト組立体及びそれを有する液晶表示装置によると、ホルダーユニットにソケット部を内蔵させることで、ランプユニットの電極とワイヤーユニットの心線とを電気的に連結させるための半田付け工程が省略される。
従って、ランプアセンブリの組立工程を単純化させることができ、半田付け工程による不良を防止することができ、収率を向上させることができる。  
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００５４】
【図１】本発明の一実施例によるランプアセンブリの分解斜視図である。
【図２】図１に示された第１ワイヤーユニットを分解して示す断面図である。
【図３】図１に示された第１ホルダーユニットをＩ-Ｉ’線に沿って切断した断面図である。
【図４】図１に示されたランプアセンブリの結合斜視図である。
【図５】図４に示されたランプアセンブリをＩＩ-ＩＩ’線に沿って切断した断面図である。
【図６】本発明の他の実施例によるバックライト組立体の分解斜視図である。
【図７】図６に示されたバックライト組立体をＩＩＩ-ＩＩＩ’線に沿って切断した断面図である。
【図８】本発明のさらに他の実施例による液晶表示装置の分解斜視図である。
【図９】図８に示された液晶表示装置をＩＶ-ＩＶ’線に沿って切断した断面図である。
【符号の説明】
【００５５】
１００      ランプアセンブリ
１１０      ランプユニット
１１１      ランプ本体
１１２、１１３      第１及び第２電極
１２０、１３０      第１及び第１ホルダーユニット
１２１      第１ホルダー部
１２２      第１ソケット部
１４０、１５０      第１及び第２ワイヤーユニット
１４１      第１電極線
１４２      第１プラグ
１５１      第２電極線
１５２      第２プラグ
２１０      導光板
２４０      モールドフレーム
３００      バックライト組立体
４００      表示ユニット
４１０      液晶表示パネル
５００      トップシャーシ
６００      液晶表示装置
【図１】
2006216528.tif 000003
【図２】
2006216528.tif 000004
【図３】
2006216528.tif 000005
【図４】
2006216528.tif 000006
【図５】
2006216528.tif 000007
【図６】
2006216528.tif 000008
【図７】
2006216528.tif 000009
【図８】
2006216528.tif 000010
【図９】
2006216528.tif 000011